(57)【特許請求の範囲】
【請求項１】
イニシエータデバイスとの近距離通信（ＮＦＣ）接続を確立するようにターゲットデバイスを動作させる方法であって、
前記イニシエータデバイスから第１の搬送波信号を受信することと、ここで、前記第１の搬送波信号はポーリングコマンドを含む、
前記ポーリングコマンドが能動通信モードまたは受動通信モードを要求したかを判定することと、
前記ポーリングコマンドに応じて前記ターゲットデバイスにおけるＮＦＣクロック生成器を選択的に使用可能にすることと
を備える、方法。
【請求項２】
前記ＮＦＣクロック生成器は、使用可能であるとき、前記ターゲットデバイスから第２の搬送波信号を送信することに関連したクロック信号を生成するためのものである、
請求項１に記載の方法。
【請求項３】
前記選択的に使用可能にすることは、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
を備える、請求項１に記載の方法。
【請求項４】
前記ターゲットデバイスは、前記ポーリングコマンドを復号した後にのみ前記ＮＦＣクロック生成器を使用可能にするためのものである、
請求項３に記載の方法。
【請求項５】
使用可能な前記ＮＦＣクロック生成器によって生成されたクロック信号を使用して前記ターゲットデバイスから第２の搬送波信号を送信することをさらに備える、
請求項３に記載の方法。
【請求項６】
前記ポーリングコマンドへの応答を前記第２の搬送波信号に変調することをさらに備える、
請求項５に記載の方法。
【請求項７】
前記ターゲットデバイスは、前記能動通信モードの要求を受信した後の延長時間期間の間、前記第１の搬送波信号を受信し続けるためのものであり、前記延長時間期間は、前記ＮＦＣクロック生成器がクロック信号を安定化させる時間に対応する、
請求項１に記載の方法。
【請求項８】
近距離通信（ＮＦＣ）デバイスであって、
イニシエータデバイスから第１の搬送波信号を受信するための手段と、ここで、前記第１の搬送波信号はポーリングコマンドを含む、
前記ポーリングコマンドが能動通信モードまたは受動通信モードを要求したかを判定するための手段と、
前記ポーリングコマンドが前記受動通信モードを要求したときに、ＮＦＣクロック生成器を使用不可の状態に維持するための手段と、
前記ポーリングコマンドが前記能動通信モードを要求したときに、前記ＮＦＣクロック生成器を使用可能にするための手段と
を備える、ＮＦＣデバイス。
【請求項９】
前記ＮＦＣクロック生成器は、使用可能であるとき、前記ＮＦＣデバイスから第２の搬送波信号を送信することに関連したクロック信号を生成するためのものである、
請求項８に記載のＮＦＣデバイス。
【請求項１０】
前記ＮＦＣデバイスは、前記ポーリングコマンドを復号した後にのみ前記ＮＦＣクロック生成器を使用可能にするためのものである、
請求項８に記載のＮＦＣデバイス。
【請求項１１】
使用可能な前記ＮＦＣクロック生成器によって生成されたクロック信号を使用して前記ＮＦＣデバイスから第２の搬送波信号を送信するための手段をさらに備える、
請求項８に記載のＮＦＣデバイス。
【請求項１２】
前記ポーリングコマンドへの応答を前記第２の搬送波信号に変調するための手段をさらに備える、
請求項１１に記載のＮＦＣデバイス。
【請求項１３】
前記ＮＦＣデバイスは、前記能動通信モードの要求を受信した後の延長時間期間の間、前記第１の搬送波信号を受信し続けるためのものであり、前記延長時間期間は、前記ＮＦＣクロック生成器がクロック信号を安定化させる時間に対応する、
請求項８に記載のＮＦＣデバイス。
【請求項１４】
プログラム命令を記憶するコンピュータ読取可能記憶媒体であって、前記プログラム命令が近距離通信（ＮＦＣ）デバイスのプロセッサによって実行されるとき、前記ＮＦＣデバイスに、
イニシエータデバイスから第１の搬送波信号を受信することと、ここで、前記第１の搬送波信号は能動通信モードまたは受動通信モードのいずれかを要求するポーリングコマンドを含む、
前記ポーリングコマンドを復号することに応じてＮＦＣクロック生成器を選択的に使用可能にすることと
を行わせる、コンピュータ読取可能記憶媒体。
【請求項１５】
前記ＮＦＣクロック生成器は、使用可能であるとき、前記ＮＦＣデバイスから第２の搬送波信号を送信することに関連したクロック信号を生成するためのものである、
請求項１４に記載のコンピュータ読取可能記憶媒体。
【請求項１６】
前記ＮＦＣクロック生成器を選択的に使用可能にするための前記プログラム命令の実行は、前記ＮＦＣデバイスに、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
を行わせる、
請求項１４に記載のコンピュータ読取可能記憶媒体。
【請求項１７】
前記ＮＦＣデバイスは、前記ポーリングコマンドを復号した後にのみ前記ＮＦＣクロック生成器を使用可能にするためのものである、
請求項１６に記載のコンピュータ読取可能記憶媒体。
【請求項１８】
前記プログラム命令の実行はさらに、前記ＮＦＣデバイスに、
使用可能な前記ＮＦＣクロック生成器によって生成されたクロック信号を使用して前記ＮＦＣデバイスから第２の搬送波信号を送信することを行わせる、
請求項１６に記載のコンピュータ読取可能記憶媒体。
【請求項１９】
前記プログラム命令の実行はさらに、前記ＮＦＣデバイスに、
前記ポーリングコマンドへの応答を前記第２の搬送波信号に変調することを行わせる、
請求項１８に記載のコンピュータ読取可能記憶媒体。
【請求項２０】
前記プログラム命令の実行はさらに、前記ＮＦＣデバイスに、
前記能動通信モードの要求を受信した後の延長時間期間の間、前記第１の搬送波信号を受信し続けることを行わせ、前記延長時間期間は、前記ＮＦＣクロック生成器がクロック信号を安定化させる時間に対応する、
請求項１４に記載のコンピュータ読取可能記憶媒体。
【請求項２１】
近距離通信（ＮＦＣ）デバイスであって、
イニシエータデバイスから第１の搬送波信号を受信するための受信機と、ここで、前記第１の搬送波信号はポーリングコマンドを含む、
前記ポーリングコマンドが能動通信モードまたは受動通信モードを要求したかを判定することと、
前記ポーリングコマンドに応じて前記ＮＦＣデバイスにおけるＮＦＣクロック生成器を選択的に使用可能にすることと
を行うためのプロセッサと
を備える、ＮＦＣデバイス。
【請求項２２】
前記ＮＦＣクロック生成器は、使用可能であるとき、前記ＮＦＣデバイスから第２の搬送波信号を送信することに関連したクロック信号を生成するためのものである、
請求項２１に記載のＮＦＣデバイス。
【請求項２３】
前記プロセッサは、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
によって、前記ＮＦＣクロック生成器を選択的に使用可能にするためのものである、
請求項２１に記載のＮＦＣデバイス。
【請求項２４】
前記プロセッサは、前記ポーリングコマンドを復号した後にのみ前記ＮＦＣクロック生成器を使用可能にするためのものである、
請求項２３に記載のＮＦＣデバイス。
【請求項２５】
前記プロセッサはさらに、
使用可能な前記ＮＦＣクロック生成器によって生成されたクロック信号を使用して前記ＮＦＣデバイスから第２の搬送波信号を送信するためのものである、
請求項２３に記載のＮＦＣデバイス。
【請求項２６】
前記プロセッサはさらに、
前記ポーリングコマンドへの応答を前記第２の搬送波信号に変調するためのものである、
請求項２５に記載のＮＦＣデバイス。
【発明の詳細な説明】
【関連出願への相互参照】
【０００１】
[0001]  本願は、ＵＳＣ第３５条第１１９項（ｅ）に基づき、２０１１年１１月２８日に出願された「REDUCING POWER CONSUMPTION FOR CONNECTION ESTABLISHMENT IN NEAR FIELD COMMUNICATION SYSTEMS」と題する、同時係属および所有者共通の米国特許仮出願第６１／５６４，２３８号の利益を主張し、その全てが参照によってここに組み込まれる。
【技術分野】
【０００２】
[0002]  本実施形態は、概して、近距離通信（ＮＦＣ）に関し、具体的にはＮＦＣデータ交換中の電力消費を削減することに関する。
【背景技術】
【０００３】
[0003]  ＮＦＣ技術は、数センチメートル以下の範囲にわたる２つのＮＦＣ使用可能なデバイス（NFC-enabled devices）間の簡略化されたワイヤレスデータ交換を可能にする。例えば、ＮＦＣ使用可能なモバイル電話、またはＮＦＣ／ＲＦＩＤタグを有するスマートカードは、（例えば、販売所の端末または別のモバイルデバイスの）ＮＦＣリーダを用いてデータを交換することができるため、顧客が硬貨を交換せずに、または物理的にクレジットカードをスワイプ（swiping）せずに、商品またはサービスを購入することを可能にする。ＮＦＣ技術はまた、ソーシャルネットワーク、連絡先の共有、および／または他のワイヤレス接続（例えば、Ｂｌｕｅｔｏｏｔｈ（登録商標）またはＷｉＦｉ）の確立を容易にするためにも使用されうる。
【０００４】
[0004]  イニシエータデバイスおよびターゲットデバイス間にＮＦＣ接続を確立するために、両方のデバイスは多くのＮＦＣ標準規格に従う。そのようなＮＦＣ標準規格の例は、ＩＳＯ／ＩＥＣ  １８０９２およびＥＣＭＡ−３４０標準規格を含み、それらは、ＮＦＣ接続のための、変調方式、符号化および復号化方式、転送レート、フレームフォーマット、送信プロトコルなどを定義している。より具体的には、ターゲットデバイスとのＮＦＣ接続を開始するために、イニシエータデバイスは、能動ＲＦガード時間（現在のところ、およそ５ミリ秒に設定）の間、非変調無線周波数（ＲＦ）搬送波信号を送信し、次いで、その搬送波信号を、能動通信モード（active communication mode）または受動通信モード（passive communication mode）のいずれかを要求するポーリングコマンド（例えば、要求フレーム）を組み込むように変調する。イニシエータデバイスが能動通信モードを要求した場合、イニシエータデバイスはポーリングコマンドを送信した後に搬送波信号の送信を終了し、次いで、ターゲットデバイスは、自身のＲＦ搬送波を生成して変調することによってイニシエータデバイスにデータを送信する。反対に、イニシエータデバイスが受動通信モードを要求した場合、イニシエータデバイスは搬送波信号を送信し続け、ターゲットデバイスは、イニシエータデバイスの搬送波信号を負荷変調することによってイニシエータデバイスにデータを送信する。したがって、能動通信モードでは、電力消費がイニシエータデバイスとターゲットデバイスとの間で分配される（shared）が、一方で、受動通信モードでは、ターゲットデバイスは自身の搬送波信号を生成しないため、（あったとしても）ごく少量の電力しか消費しない。
【０００５】
[0005]  より具体的には、イニシエータデバイスがポーリングコマンドの中で能動通信モードを要求したとき、ターゲットデバイスは、イニシエータデバイスが搬送波信号の送信を終了した後、所定の応答時間までに自身の搬送波信号を生成して送信しなければならない。この能動モード通信の所定の応答時間は、能動遅延時間（active delay time）（ＴADT）と呼ばれることもあり、現在は、ＩＳＯ  １８０９２標準規格によって３０２マイクロ秒に設定されている。上述のように、例えば、イニシエータデバイスがターゲットデバイスから送信されたデータをターゲットデバイス自身の搬送波信号を介して受信することができるように、イニシエータデバイスは、通常、ターゲットデバイスにポーリングコマンドを送信した直後に搬送波信号を終了する。多くのクロック生成器（clock generators）が、ＮＦＣ搬送波信号を生成して変調するのに適したクロック信号を生成して安定化させるために３０２マイクロ秒より更に長くかかるため、ターゲットデバイスは、通常、イニシエータデバイスから送信された最初の非変調搬送波信号を検出した直後に、クロック生成器を使用可能にし（enable）、および／または、イニシエータデバイスが搬送波信号を終了したと判定した後にのみ、自身の搬送波信号を生成する。この方法で、ターゲットデバイスは、能動遅延時間（ＴADT）内に、クロック生成器を使用可能にし、クロック信号を安定化させ、自身の搬送波信号を送信するために十分な時間を有することができる。しかしながら、ターゲットデバイスがクロック生成器を早まってまたは不必要に使用可能にした場合、電力消費は不必要に消費されうる。例えば、イニシエータデバイスがその後、受動通信モードを要求した場合、（例えば、能動ＲＦガード時間（５ミリ秒）の間、非変調搬送波信号を送信した後に、ターゲットデバイスは自身の搬送波信号を生成して送信する必要はない）。この不必要な電力消費は、ターゲットデバイスが限られた電力供給を有するモバイルデバイス（例えば、小型電池によって電力供給されるスマートフォン）であるとき、特に懸念される。
【０００６】
[0006]  したがって、ＮＦＣ使用可能なデバイス間にＮＦＣ接続を確立することに関連した電力消費を削減するための必要性がある。
【発明の概要】
【０００７】
[0007]  この発明の概要は、発明の詳細な説明において以下でさらに説明される概念のセレクションを簡略化された形態で紹介するために提供される。この発明の概要は、本願の主題の重要な特徴または本質的な特徴を特定するように意図されておらず、また本願の主題の範囲を限定するようにも意図されていない。
【０００８】
[0008]  ＮＦＣイニシエータデバイスおよびＮＦＣターゲットデバイス間にＮＦＣ接続を確立することに関連した電力消費を削減する方法および装置が開示される。本実施形態にしたがって、イニシエータデバイスは、ターゲットデバイスとの能動モードＮＦＣ接続を要求したとき、延長した時間期間だけ搬送波信号の送信を選択的に延長することができるため、ターゲットデバイスに、自身の搬送波信号を生成して送信するために使用されるクロック生成器を使用可能にし、および／またはクロック信号を安定化させるための追加時間を与える。結果として、ターゲットデバイスは、（例えば、イニシエータデバイスからの最初の非変調搬送波信号の送信を検出してすぐに、クロック生成器を自動的に使用可能にするというよりは）イニシエータデバイスからのポーリングコマンドを受信して復号した後に、クロック生成器を選択的に使用可能にしうる。
【０００９】
[0009]  より具体的には、いくつかの実施形態では、イニシエータデバイスが能動モードＮＦＣ接続を要求した場合に、イニシエータデバイスは、ターゲットデバイスにポーリングコマンドを送った後（例えば、要求を搬送波信号に変調した後）、延長時間期間の間、搬送波信号を送信し続ける。いくつかの実施形態では、延長時間期間は、能動ＲＦ延長時間（active RF extended time）と呼ばれうる。能動モードＮＦＣ接続の要求に応じて、ターゲットデバイスはクロック生成器を使用可能にしてクロック信号を生成し、その後、自身の搬送波信号をイニシエータデバイスに送信する。イニシエータデバイスによって提供された延長時間期間は、クロック信号を安定化させ、能動モード応答時間（例えば、３０２マイクロ秒）内に自身の搬送波信号を送信するために十分な時間をターゲットデバイスに与える。反対に、ポーリングコマンドが受動モードＮＦＣ接続を要求した場合、ターゲットデバイスはクロック生成器を使用可能にせず、自身の搬送波信号を生成しないため、ターゲットデバイスにおける電力消費を削減する。いくつかの実施形態では、イニシエータデバイスは延長時間期間を示す１つまたは複数の値を記憶するルックアップテーブルを含む。少なくとも１つの実施形態では、イニシエータデバイスは、１つまたは複数の動作条件（例えば、干渉条件、イニシエータデバイスおよびターゲットデバイス間の予想される距離など）、および／またはターゲットデバイスの特性（例えば、クロック生成器の種類、電池の種類など）に応じて、延長時間期間のための適した値を選択しうる。
【図面の簡単な説明】
【００１０】
[0010]  本実施形態は、例によって例示され、添付の図面の図によって限定されるようには意図されていない。
【図１】いくつかの実施形態にしたがった、２つのＮＦＣ使用可能なデバイスを含むＮＦＣシステムのブロック図。
【図２】いくつかの実施形態にしたがった、ＮＦＣデバイスのブロック図。
【図３】いくつかの実施形態にしたがった、イニシエータデバイスおよびターゲットデバイス間のＮＦＣ信号送信を表す例示的なタイミング図。
【図４Ａ】いくつかの実施形態にしたがった、イニシエータデバイスとして動作するＮＦＣデバイスについての実例的な動作を表す例示的なフローチャート。
【図４Ｂ】いくつかの実施形態にしたがった、ターゲットデバイスとして動作するＮＦＣデバイスについての実例的な動作を表す例示的なフローチャート。
【００１１】
[0016]  類似した参照番号は図面の図全体にわたる対応した部分を指す。
【発明の詳細な説明】
【００１２】
[0017]  本実施形態は、２つのＮＦＣ使用可能なデバイス間に近距離通信（ＮＦＣ）接続を確立するというコンテキストで以下に検討される。本実施形態が他のワイヤレス通信技術および／または標準規格に均等に適用可能であることが理解されるべきである。以下の説明では、本開示の完全な理解を提供するために、特定のコンポーネント、回路、ソフトウェア、およびプロセスの例といった多数の特定の詳細が記載される。また、以下の記述では、説明の目的で、本実施形態の完全な理解を提供するために特定の用語が記載される。しかしながら、これらの特定の詳細が本実施形態を実現するために必要とされないこともあるということは当業者にとって明らかであろう。他の実例では、本開示を曖昧にすることを避けるために、周知の回路およびデバイスがブロック図の形態で示される。ここで使用される「結合された」という用語は、直接接続されること、あるいは、１つまたは複数の介在するコンポーネントまたは回路を通じて接続されることを意味する。ここで使用される「ＮＦＣ」という用語は、例えば、ＩＳＯ／ＩＥＣ  １８０９２、ＥＣＭＡ−３４０、および／またはＮＦＣフォーラムによって定義された標準規格を含む、様々なＮＦＣプロトコルによって規定された（governed）様々な通信を指す。ここで使用される「ＮＦＣクロック生成器」という用語は、ＮＦＣ接続中にデータを交換するために、ＮＦＣ搬送波信号を生成、送信、および／または変調するように使用されるべきクロック信号を生成するクロック生成器を指す。
【００１３】
[0018]  加えて、ここで使用される「イニシエータデバイス」という用語は、（例えば、ポーリングコマンドをもう一方のＮＦＣ使用可能なデバイスに送信することによって）ＮＦＣ接続を開始するＮＦＣ使用可能なデバイスを指し、「ターゲットデバイス」という用語は、（例えば、能動モードＮＦＣ接続の要求に応じて自身の搬送波信号を送信すること、または受動モードＮＦＣ接続の要求に応じてイニシエータデバイスの搬送波信号を負荷変調することのいずれかによって）イニシエータデバイスからの要求に応答するＮＦＣ使用可能なデバイスを指す。
【００１４】
[0019]  図１は、いくつかの実施形態にしたがった、２つのＮＦＣ使用可能なデバイスＤ１およびＤ２を含むＮＦＣシステム１００を示す。ＮＦＣデバイスＤ１およびＤ２はそれぞれ、他のＮＦＣデバイスの他のＮＦＣアンテナを用いて、近距離でワイヤレス通信信号を交換することができるＮＦＣアンテナ１１０が装備されている。ＮＦＣデバイスＤ１およびＤ２のアンテナ１１０が、互いの近く（例えば、互いの数センチメートル内）に持ってこられると、それらは誘導結合になり、一旦誘導結合すると、ＮＦＣデバイスＤ１およびＤ２が近距離通信を互いに行うことを可能にする。いくつかの実施形態において、アンテナ１１０は、無線周波数（ＲＦ）送受信を可能にするループアンテナであるが、他の周知のアンテナを使用することができる。いくつかの実施形態では、ＮＦＣデバイスＤ１およびＤ２間の近距離通信は、１つまたは複数の標準規格（例えば、ＩＳＯ／ＩＥＣ  １８０９２、ＥＣＭＡ−３４０、および／またはＮＦＣフォーラムによって定義された標準規格）にしたがって行われる。
【００１５】
[0020]  ＮＦＣデバイスＤ１およびＤ２は、ＮＦＣプロトコルまたは標準規格にしたがってワイヤレスに互いに通信することができる任意の適したデバイスでありうる。例えば、いくつかの実施形態において、ＮＦＣデバイスＤ１およびＤ２の両方はモバイルデバイス（例えば、セルラ電話、携帯情報端末、または他のモバイルデバイス）である。他の実施形態において、ＮＦＣデバイスＤ１はモバイルデバイスであり、ＮＦＣデバイスＤ２はＮＦＣタグ（例えば、受動無線周波数識別（ＦＲＩＤ）タグ）である。さらに他の実施形態において、ＮＦＣデバイスＤ１は、例えば、キオスクまたは入場ゲートで適しているＮＦＣリーダであり、ＮＦＣデバイスＤ２はモバイルデバイスまたはＮＦＣタグである。いくつかの実施形態において、ＮＦＣデバイスＤ１は近接結合デバイス（ＰＣＤ）であり、ＮＦＣデバイスＤ２は近接集積回路カード（ＰＩＣＣ）（例えば、非接触スマートカード）である。
【００１６】
[0021]  以下に説明される例示的な実施形態では、（図１に表されるように）ＮＦＣデバイスＤ１はイニシエータデバイスとして指定され、ＮＦＣデバイスＤ２はターゲットデバイスとして指定される。他の実施形態では、ＮＦＣデバイスＤ１はターゲットデバイスとして動作し、ＮＦＣデバイスＤ２はイニシエータデバイスとして動作しうる。
【００１７】
[0022]  図２は、図１のＮＦＣデバイスＤ１および／またはＮＦＣデバイスＤ２の１つの実施形態であるＮＦＣデバイス２００を示す。ＮＦＣデバイス２００は、周知の受信機／送信機回路２１０、プロセッサ２２０、ＮＦＣクロック生成器２３０、およびメモリ２４０を含む。アンテナ１１０、プロセッサ２２０、およびＮＦＣクロック生成器２３０に結合された受信機／送信機回路２１０は、もう一方のＮＦＣ使用可能なデバイスに信号を送信し、そのもう一方のＮＦＣ使用可能なデバイスから信号を受信するために使用されうる。より具体的には、受信機／送信機回路２１０は、ＮＦＣクロック生成器２３０からクロック信号ＣＬＫを受信し、プロセッサ２２０とデータおよび制御信号（ＣＴＲＬ）を交換する。動作において、受信機／送信機回路２１０は、データを生成し、および／または、アンテナ１１０を介してもう一方のデバイスに送信されるべき搬送波信号にデータを変調するために使用され、アンテナ１１０によって受信された搬送波信号からデータを受信して復調するために使用されうるいくつかの実施形態では、受信機／送信機回路２１０はまた、（例えば、ＮＦＣ受動モードで通信するときに）もう一方のデバイスから送信された搬送波信号にデータを負荷変調するために使用されうる。
【００１８】
[0023]  ＮＦＣクロック生成器２３０は、ＮＦＣ搬送波信号を生成、および／またはデータをＮＦＣ搬送波信号に変調する際の使用に適したＣＬＫのようなクロック信号を生成する、任意の適した種類のクロック生成器またはクロック回路でありうる。例えば、ＮＦＣクロック生成器２３０は、電圧制御された発振器、水晶発振器、またはデジタルクロック生成器でありうる。さらに、図２の例示的な実施形態は、ＮＦＣクロック生成器２３０を、受信機／送信機２１０にクロック信号ＣＬＫを提供するための専用またはスタンドアロンのクロック生成器として表すが、他の実施形態では、クロック生成器２３０はＮＦＣデバイス２００上の他のリソースまたはモジュールと共用されうる。したがって、少なくとも１つの実施形態では、ＮＦＣクロック生成器２３０はＮＦＣデバイス２００の別の回路またはモジュール内で実装されうる。
【００１９】
[0024]  プロセッサ２２０に結合されたメモリ２４０は、任意の適したメモリエレメントまたはデバイスでありうる。メモリ２４０は、ポーリングコマンドが搬送波信号に変調された後にイニシエータデバイスのＮＦＣ搬送波信号の送信を継続することに関連した延長時間期間（ＴEXT）を示す１つまたは複数の値を記憶するルックアップテーブル２４２を含みうる。いくつかの実施形態では、延長時間期間ＴEXTは、（例えば、イニシエータデバイスの製造業者によって）予め決定され、テーブル２４２にプログラムされうる。他の実施形態では、テーブル２４２は、ポーリングコマンドをターゲットデバイスに送信するときに動的に選択されうる複数の延長時間期間ＴEXTを記憶しうる。例えば、複数の延長時間期間ＴEXTのうちのそれぞれは、例えば、現在の動作条件、所定の環境条件、ターゲットデバイスのＮＦＣクロック生成器または電池の種類および／あるいは動作特性などを含む、１つまたは複数のパラメータに応じて選択されうる。
【００２０】
[0025]  メモリ２４０はまた、以下のソフトウェアモジュールを記憶することができる非一時的なコンピュータ読取可能媒体（例えば、ＥＰＲＯＭ、ＥＥＰＲＯＭ、フラッシュメモリ、ハードドライブなどのような、１つまたは複数の不揮発性メモリエレメント）を含みうる。  
・  例えば、図４Ａの動作４０２、４０４、４０８、４１０、および／または４１２、ならびに図４Ｂの動作４５２、４５４、４５８、４６２、および／または４６４について説明されるような、ＮＦＣデータ交換に適したＮＦＣ搬送波信号の生成を容易にし、および／またはデータをＮＦＣ搬送波信号（例えば、ポーリングコマンド、要求、応答、およびもう一方のＮＦＣデバイスと交換されるべきデータ）に変調するデータ交換ソフトウェアモジュール２４４、および、  
・  例えば、図４Ｂの動作４５７および／または４６０について説明されるような、電力条件を判定し、および／またはＮＦＣクロック生成器２３０を選択的に使用可能および使用不可にして、ＮＦＣデバイス２００の電力消費を削減する電力制御ソフトウェアモジュール２４６。  
データ交換ソフトウェアモジュール２４４は、プロセッサ２２０によって実行されるとき、対応する機能をＮＦＣデバイス２００に行わせることができる命令を含む。電力制御ソフトウェアモジュール２４６は、プロセッサ２２０によって実行されるとき、対応する機能をＮＦＣデバイス２００に行わせることができる命令を含む。
【００２１】
[0026]  受信機／送信機回路２１０、ＮＦＣクロック生成器２３０、およびメモリ２４０に結合されたプロセッサ２２０は、ＮＦＣデバイス２００（例えば、メモリ２４０内）に記憶された１つまたは複数のソフトウェアプログラムのスクリプトまたは命令を実行することができる任意の適したプロセッサでありうる。例えば、プロセッサ２２０は、ＮＦＣ搬送波信号の生成を容易にし、および／またはデータをＮＦＣ搬送波信号に変調するデータ交換ソフトウェアモジュール２４４を実行することができる。プロセッサ２２０はまた、電力条件を判定し、および／またはＮＦＣクロック生成器２３０を選択的に使用可能および使用不可にして、ＮＦＣデバイス２００の電力消費を削減する電力制御ソフトウェアモジュール２４６を実行することができる。
【００２２】
[0027]  メモリ２４０に記憶されたソフトウェアモジュールのうちの１つまたは複数の実行中、プロセッサ２２０は、受信機／送信機２１０にデータおよび／または制御信号を送り、受信機／送信機２１０からデータおよび／または制御信号を受信し、クロックイネーブル信号ＣＬＫ＿ＥＮをＮＦＣクロック生成器２３０に提供しうる。より具体的には、以下により詳細に説明されるように、プロセッサ２２０は、もう一方のＮＦＣデバイスから受信されたポーリングコマンドが能動通信モードを要求していると判定するのに応じて、ＮＦＣクロック生成器２３０を使用可能にして、クロック信号ＣＬＫを生成して安定化させるように、ＣＬＫ＿ＥＮを選択的にアサートしうる。プロセッサ２２０はまた、もう一方のＮＦＣデバイスが（例えば、電力消費を削減するために）受動通信モードを要求しているとき、クロック信号ＣＬＫを生成することからＮＦＣクロック生成器２３０を使用不可にするようにＣＬＫ＿ＥＮを選択的にデアサートしうる。
【００２３】
[0028]  本実施形態において、ＮＦＣデバイス２００はイニシエータデバイスＤ１またはターゲットデバイスＤ２のいずれかとして使用されうるが、ＮＦＣデバイス２００がイニシエータデバイスＤ１またはターゲットデバイスＤ２として使用されるかどうかに依存して、ＮＦＣデバイス２００の１つまたは複数のエレメントが省かれうることに留意されたい。１つの例では、ＮＦＣデバイス２００が図１のイニシエータデバイスＤ１として使用されるとき、電力制御ソフトウェアモジュール２４６は省かれうる。別の例では、ＮＦＣデバイス２００が図２のターゲットデバイスＤ２として使用されるとき、ルックアップテーブル２４２は省かれうる。
【００２４】
[0029]  上述のように、イニシエータデバイスＤ１およびターゲットデバイスＤ２間にＮＦＣ接続またはリンクを確立するときに、イニシエータデバイスＤ１は、（例えば、イニシエータデバイスの搬送波信号に変調されたポーリングコマンドに要求を組み込むことによって）能動モードＮＦＣ接続または受動モードＮＦＣ接続のいずれかを要求しうる。能動モードＮＦＣ接続では、イニシエータデバイスＤ１およびターゲットデバイスＤ２はそれぞれ、自身の搬送波信号を生成し、（例えば、交代時間期間またはスロットの間に）データを自身の搬送波信号に変調することによって、データを他のデバイスに送信する。反対に、受動モードＮＦＣ接続では、イニシエータデバイスＤ１のみが自身の搬送波信号を生成して送信し、ターゲットデバイスＤ２は、イニシエータデバイスの搬送波信号を負荷変調することによって、データ（例えば、ポーリングコマンドへの応答）をイニシエータデバイスに送る。
【００２５】
[0030]  したがって、能動モードＮＦＣ接続中は、電力消費がイニシエータデバイスＤ１とターゲットデバイスＤ２との間で分配されうるが、受動モードＮＦＣ接続中は、電力消費のうちの（全部ではないが）ほとんどがイニシエータデバイスＤ１に起因する。結果として、受動モードＮＦＣ接続は、ターゲットデバイスＤ２が限られた電力供給を有する環境（例えば、人が店またはレストランで商品を購入するためにＮＦＣ使用可能なスマートフォンを使用するとき）における使用に適している。ターゲットデバイスＤ２が、受動モードＮＦＣ接続中、（あったとしても）わずかな電力しか消費しない理由の１つは、ターゲットデバイスＤ２が自身のクロック生成器を使用可能にして動作させなくてもよく、自身の搬送波信号を生成して送信しなくてもよいからである。
【００２６】
[0031]  現在のＮＦＣ標準規格によると、（例えば、ターゲットデバイスに送られるポーリングコマンドに示されるように）イニシエータデバイスＤ１が能動モードＮＦＣ接続を要求したとき、ターゲットデバイスＤ２は、イニシエータデバイスＤ１が自身の搬送波信号の送信を終了した後、３０２マイクロ秒（例えば、能動遅延時間ＴADT）までに、自身の搬送波信号の送信を始めなければならない。したがって、成功したＮＦＣ接続では、イニシエータデバイスＤ１からの搬送波信号送信と、ターゲットデバイスＤ２からの搬送波信号送信との間にわずか３０２マイクロ秒の時間遅延しかないことがある。しかしながら、上述のように、多くのクロック生成器（例えば、図２のクロック生成器２３０）は、ＮＦＣ搬送波信号を生成するために使用されるべきクロック信号を生成して安定化させるのに３０２マイクロ秒よりさらに長くかかる。例えば、電圧制御された発振器（ＶＣＯ）を使用して実装されたクロック生成器は、通常、使用可能になった後、ＮＦＣ搬送波信号クロックを安定化させるために３ミリ秒以上必要とする。さらに、ＮＦＣ搬送波信号の生成専用の水晶発振器のような、より洗練されたクロック生成器でも、使用可能になった後、ＮＦＣ搬送波信号クロックを安定化させるために１．５ミリ秒もかかりうる。
【００２７】
[0032]  結果として、従来のＮＦＣターゲットデバイスは、通常、（例えば、能動遅延時間ＴADTによって提供される）３０２マイクロ秒の時間期間内に、（例えば、能動モードＮＦＣ接続のために）自身の搬送波信号を生成して送信する必要がある場合に、ＮＦＣクロック生成器を使用可能な状態に維持する。ターゲットデバイスのクロック生成器を使用可能な状態に維持することは、結果として不必要な電力消費をもたらしうるが（例えば、イニシエータデバイスが受動モードを要求した場合に、ターゲットデバイスが自身の搬送波信号を生成または送信する必要はない）、３０２マイクロ秒の時間期間の終了前にターゲットデバイスのＮＦＣ搬送波信号クロックを安定化できないことは、成功したＮＦＣ接続の確立を妨げうる。
【００２８】
[0033]  よって、本実施形態にしたがって、能動モードＮＦＣ接続を要求するポーリングコマンドを受信したことにのみ応じてＮＦＣクロック生成器２３０を使用可能にするようにターゲットデバイスＤ２を構成することによって、ターゲットデバイスＤ２の電力消費は削減されうる。この方法では、イニシエータデバイスＤ１が受動モードＮＦＣ接続を要求した場合、ターゲットデバイスＤ２はＮＦＣクロック生成器２３０を使用可能にしないか、または自身のＮＦＣ搬送波信号を生成しないため、ＮＦＣクロック生成器２３０、および／または、受信機／送信機２１０の送信機部分を使用可能にして動作させることに関連した電力消費を節約する。それに加えて、イニシエータデバイスＤ１が能動モードＮＦＣ接続を要求していると判定した後にのみＮＦＣクロック生成器２３０を使用可能にすることによって、ターゲットデバイスＤ２が早まってＮＦＣクロック生成器２３０を使用可能にしないため、さらにターゲットデバイスＤ２の電力消費を削減する。
【００２９】
[0034]  さらに、ターゲットデバイスＤ２が、３０２マイクロ秒の時間期間内に、ＮＦＣ搬送波信号クロックを安定化させ、その後自身のＮＦＣ搬送波信号を送信することができることを確実にするために、イニシエータデバイスＤ１は、ポーリングコマンドを搬送波信号に変調した後に、延長時間期間（ＴEXT）の間、搬送波信号を送信し続けるように構成されうる。延長時間期間ＴEXTは、能動モードＮＦＣ接続の要求に応じて、ＮＦＣクロック生成器２３０を使用可能にし、ＮＦＣ搬送波信号クロックを安定化させ、自身のＮＦＣ搬送波信号をイニシエータデバイスＤ１に送信するために十分な時間をターゲットデバイスＤ２に与える任意の適した値でありうる。例えば、イニシエータデバイスＤ１が、ターゲットデバイスＤ２に能動モードＮＦＣ接続の要求を送った後、７ミリ秒間ＮＦＣ搬送波信号を送信し続けた場合、ターゲットデバイスＤ２は、ポーリングコマンドを復号する後までＮＦＣクロック生成器２３０を使用可能にするのを待機しうるが、それでも３０２マイクロ秒の時間期間内にイニシエータデバイスＤ１に自身のＮＦＣ搬送波信号を返送することができうる。
【００３０】
[0035]  イニシエータデバイスＤ１およびターゲットデバイスＤ２間に能動モードＮＦＣ接続を確立するための例示的な動作は、図３の例示的なタイミング図３００に関連して以下に説明される。タイミング図３００は、イニシエータデバイスＤ１の搬送波信号クロックＣＬＫ＿Ｄ１と、イニシエータデバイスＤ１から送信される第１のＮＦＣ搬送波信号ＣＳ１と、ターゲットデバイスＤ２から送信される第２のＮＦＣ搬送波信号ＣＳ２と、ターゲットデバイスＤ２のクロックイネーブル信号ＣＬＫ＿ＥＮと、ターゲットデバイスＤ２の搬送波信号クロックＣＬＫ＿Ｄ２とについての波形を表している。
【００３１】
[0036]  最初に、イニシエータデバイスＤ１は、時刻ｔ０で、そのＮＦＣクロック生成器２３０を起動する。イニシエータデバイスＤ１の搬送波信号クロックＣＬＫ＿Ｄ１は、時刻ｔ１までに安定化され、その後イニシエータデバイスＤ１は、５ミリ秒またはそれ以上の間、非変調ＮＦＣ搬送波信号ＣＳ１を送信する。時刻ｔ２で、イニシエータデバイスＤ１は、属性要求フレーム（ＡＴＲ＿ＲＥＱ）を含むポーリングコマンドをＮＦＣ搬送波信号ＣＳ１に変調する。時刻ｔ３までに、ポーリングコマンドはターゲットデバイスＤ２に送信されている。
【００３２】
[0037]  本実施形態にしたがって、ポーリングコマンドが送信された後（例えば、要求フレームＡＴＲ＿ＲＥＱの最終ビットが搬送波信号ＣＳ１に変調された後）、イニシエータデバイスＤ１は、時刻ｔ４まで延長時間期間（ＴEXT）の間、ＮＦＣ搬送波信号ＣＳ１を送信し続ける。対照的に、能動モードＮＦＣ接続を要求する従来のイニシエータデバイスは通常、（例えば、電力消費を削減するために、および／またはターゲットデバイスのＮＦＣ搬送波信号の受信の準備をするために）ポーリングコマンドを送信した直後に搬送波信号の送信を終了する。
【００３３】
[0038]  時刻ｔ３以前に、ターゲットデバイスＤ２は要求フレーム（ＡＴＲ＿ＲＥＱ）を受信し、イニシエータデバイスＤ１が能動モードＮＦＣ接続を要求していると判定する。それに応じて、ターゲットデバイスＤ２は、ＮＦＣクロック生成器２３０を使用可能にするようにクロックイネーブル信号ＣＬＫ＿ＥＮを、（例えば、論理ハイに）アサートする。ターゲットデバイスＤ２のクロック生成器２３０は、時刻ｔ５までにウォームアップし、時刻ｔ５の直後にＮＦＣ搬送波信号クロックＣＬＫ＿Ｄ２を安定化させる。したがって、時刻ｔ５の後に、ターゲットデバイスＤ２のクロック信号ＣＬＫ＿Ｄ２は、受信機／送信機２１０による使用のために利用可能になり、ターゲットデバイスＤ２のＮＦＣ搬送波信号ＣＳ２を生成する。次いで、時刻ｔ６以前に、ターゲットデバイスＤ２は自身のＮＦＣ搬送波信号ＣＳ２を送信し、時刻ｔ７にターゲットデバイスＤ２は属性応答フレーム（ＡＴＲ＿ＲＥＳ）をＮＦＣ搬送波信号ＣＳ２に変調する。
【００３４】
[0039]  本実施形態では、イニシエータデバイスＤ１が時刻ｔ４にＮＦＣ搬送波信号ＣＳ１を終了し、それが、イニシエータデバイスＤ１の要求フレームに応じて、ターゲットデバイスＤ２が自身のＮＦＣ搬送波信号ＣＳ２を送信しなければならない３０２マイクロ秒の時間期間の開始をトリガすることに留意されたい。ターゲットデバイスＤ２が、（ポーリングコマンドの要求フレームを復号するのに応じて）時刻ｔ３にＮＦＣクロック生成器２３０を使用可能にするようにＣＬＫ＿ＥＮをアサートするため、ターゲットデバイスＤ２は、時刻ｔ６における３０２マイクロ秒の時間期間の終了前に、ＮＦＣ搬送波信号クロックＣＬＫ＿Ｄ２を安定化させ、自身のＮＦＣ搬送波信号ＣＳ２を送信することができる。
【００３５】
[0040]  図４Ａおよび４Ｂは、いくつかの実施形態にしたがった、イニシエータデバイスＤ１およびターゲットデバイスＤ２間にＮＦＣ接続を確立するための実例的な動作を表す例示的なフローチャート４００および４５０である。最初に、図４Ａについて言及すると、イニシエータデバイスＤ１は非変調ＮＦＣ搬送波信号ＣＳ１を生成して送信する（４０２）。次に、イニシエータデバイスＤ１は、能動モードまたは受動モードのＮＦＣ接続のいずれかを選択し、選択された通信モードの要求を含むポーリングコマンドをＮＦＣ搬送波信号ＣＳ１に変調する（４０４）。その後、４０６でテストしたときに受動モードが選択された場合、イニシエータデバイスＤ１は、ポーリングコマンドをＮＦＣ搬送波信号ＣＳ１に変調した直後にＮＦＣ搬送波信号ＣＳ１の送信を終了する（４０８）。反対に、４０６でテストしたときに能動モードが選択された場合、イニシエータデバイスＤ１は、延長時間期間ＴEXTを判定するか、または（例えば、メモリ２４０から）延長時間期間ＴEXTを検索し（４１０）、ポーリングコマンドをＮＦＣ搬送波信号ＣＳ１に変調した後、延長時間期間ＴEXTの間、ＮＦＣ搬送波信号ＣＳ１を送信し続ける（４１２）。
【００３６】
[0041]  ここで図４Ｂについて言及すると、ターゲットデバイスＤ２はイニシエータデバイスＤ１の搬送波信号ＣＳ１を検出し、イニシエータデバイスＤ１から送信されたポーリングコマンドを受信する（４５２）。ターゲットデバイスＤ２はポーリングコマンドに含まれた要求フレームを復号し、イニシエータデバイスＤ１が能動モードまたは受動モードのＮＦＣ接続を要求しているかを判定する（４５４）。４５６で調べたときにイニシエータデバイスＤ１が受動モードＮＦＣ接続を要求している場合、ターゲットデバイスＤ２は、使用不可の状態にＮＦＣクロック生成器２３０を維持するようにクロックイネーブル信号ＣＬＫ＿ＥＮをデアサートし（４５７）、その後、イニシエータデバイスＤ１の搬送波信号ＣＳ１を負荷変調することによってポーリングコマンドに応答する（４５８）。反対に、４５６で調べたときにイニシエータデバイスＤ１が能動モードＮＦＣ接続を要求している場合、ターゲットデバイスＤ２は、クロックイネーブル信号ＣＬＫ＿ＥＮをアサートすることによってＮＦＣクロック生成器２３０を使用可能にする（４６０）。次に、ターゲットデバイスＤ２は、ＮＦＣクロック生成器２３０によって提供されたクロック信号ＣＬＫ＿Ｄ２を使用して自身のＮＦＣ搬送波信号ＣＳ２を生成し、ＮＦＣ搬送波信号ＣＳ２をイニシエータデバイスＤ１に送信する（４６２）。次いで、ターゲットデバイスＤ２は、応答フレーム（例えば、ＡＴＲ＿ＲＥＳ）をＮＦＣ搬送波信号ＣＳ２に変調することによってイニシエータデバイスＤ１に応答する（４６４）。
【００３７】
[0042]  上述の明細書では、本実施形態が特定の例示的な実施形態に関して説明された。しかしながら、それに対するさまざまな修正および変更が、添付の特許請求の範囲に記載された本開示のより広い範囲から逸脱せずになされうることは明らかであろう。したがって、明細書および図面は、限定的な意味というよりむしろ例示的な意味で考慮されるべきである。
以下に、本願出願の当初の特許請求の範囲に記載された発明を付記する。
［Ｃ１］
近距離通信（ＮＦＣ）使用可能なイニシエータデバイスおよびＮＦＣ使用可能なターゲットデバイス間にＮＦＣ接続を確立するための方法であって、
前記イニシエータデバイスから第１の搬送波信号を送信することと、
ポーリングコマンドを前記第１の搬送波信号に変調することと、
前記ポーリングコマンドが受動通信モードを要求した場合、前記変調の完了後に前記第１の搬送波信号の送信を終了することと、
前記ポーリングコマンドが能動通信モードを要求した場合、前記変調後の延長時間期間の間、前記第１の搬送波信号の送信を継続することと
を備える、方法。
［Ｃ２］
前記延長時間期間は、前記ターゲットデバイスがクロック信号を安定化させる時間に対応する、
［Ｃ１］に記載の方法。
［Ｃ３］
前記イニシエータデバイスに提供されたルックアップテーブルに前記延長時間期間を示す１つまたは複数の値を記憶することをさらに備える、
［Ｃ１］に記載の方法。
［Ｃ４］
前記ターゲットデバイスにおいて前記ポーリングコマンドを受信することと、
前記ポーリングコマンドに応じて前記ターゲットデバイスにおけるＮＦＣクロック生成器を選択的に使用可能にすることと
をさらに備える、［Ｃ１］に記載の方法。
［Ｃ５］
前記ターゲットデバイスは、前記ポーリングコマンドが前記能動通信モードを要求した場合にのみ前記ＮＦＣクロック生成器を使用可能にするためのものである、
［Ｃ４］に記載の方法。
［Ｃ６］
前記ＮＦＣクロック生成器は、前記ターゲットデバイスから第２の搬送波信号を送信することに関連したクロック信号を生成するためのものである、
［Ｃ４］に記載の方法。
［Ｃ７］
前記ターゲットデバイスは、前記ポーリングコマンドの最終ビットを受信した後にのみ前記ＮＦＣクロック生成器を使用可能にするためのものである、
［Ｃ４］に記載の方法。
［Ｃ８］
前記ＮＦＣクロック生成器によって生成されたクロック信号を使用して前記ターゲットデバイスから第２の搬送波信号を送信することをさらに備える、
［Ｃ４］に記載の方法。
［Ｃ９］
前記ポーリングコマンドへの応答を前記第２の搬送波信号に変調することをさらに備える、
［Ｃ８］に記載の方法。
［Ｃ１０］
近距離通信（ＮＦＣ）使用可能なイニシエータデバイスおよびＮＦＣ使用可能なターゲットデバイス間にＮＦＣ接続を確立するためのシステムであって、
前記イニシエータデバイスから第１の搬送波信号を送信するための手段と、
ポーリングコマンドを前記第１の搬送波信号に変調するための手段と、
前記ポーリングコマンドが受動通信モードを要求した場合、前記変調の完了後に前記第１の搬送波信号の送信を終了するための手段と、
前記ポーリングコマンドが能動通信モードを要求した場合、前記変調後の延長時間期間の間、前記第１の搬送波信号の送信を継続するための手段と
を備える、システム。
［Ｃ１１］
前記延長時間期間は、前記ターゲットデバイスがクロック信号を安定化させる時間に対応する、
［Ｃ１０］に記載のシステム。
［Ｃ１２］
前記イニシエータデバイスに、前記延長時間期間を示す１つまたは複数の値を記憶するための手段をさらに備える、
［Ｃ１０］に記載のシステム。
［Ｃ１３］
前記ターゲットデバイスにおいて前記ポーリングコマンドを受信するための手段と、
前記ポーリングコマンドが前記能動通信モードを要求した場合にのみ前記ターゲットデバイスにおけるＮＦＣクロック生成器を使用可能にするための手段と
をさらに備える、［Ｃ１０］に記載のシステム。
［Ｃ１４］
前記ＮＦＣクロック生成器は、前記ターゲットデバイスから第２の搬送波信号を送信することに関連したクロック信号を生成するためのものである、
［Ｃ１３］に記載のシステム。
［Ｃ１５］
前記ターゲットデバイスは、前記ポーリングコマンドの最終ビットを受信した後にのみ前記ＮＦＣクロック生成器を使用可能にするためのものである、
［Ｃ１３］に記載のシステム。
［Ｃ１６］
前記ＮＦＣクロック生成器によって生成されたクロック信号を使用して前記ターゲットデバイスから第２の搬送波信号を送信するための手段をさらに備える、
［Ｃ１３］に記載のシステム。
［Ｃ１７］
応答を前記第２の搬送波信号に変調するための手段をさらに備える、
［Ｃ１６］に記載のシステム。
［Ｃ１８］
プログラム命令を含むコンピュータ読取可能媒体であって、前記プログラム命令が近距離通信（ＮＦＣ）システムにおけるイニシエータデバイスのプロセッサによって実行されるとき、前記イニシエータデバイスに、
搬送波信号をターゲットデバイスに送信することと、
ポーリングコマンドを前記搬送波信号に変調することと、
前記ポーリングコマンドが受動通信モードを要求した場合、前記変調の完了後に前記搬送波信号の送信を終了することと、
前記ポーリングコマンドが能動通信モードを要求した場合、前記変調後の延長時間期間の間、前記搬送波信号の送信を継続することと
を行わせる、コンピュータ読取可能媒体。
［Ｃ１９］
前記延長時間期間は、前記ターゲットデバイスがクロック信号を安定化させる時間に対応する、
［Ｃ１８］に記載のコンピュータ読取可能媒体。
［Ｃ２０］
前記イニシエータデバイスが、
前記延長時間期間を示す１つまたは複数の値を記憶するルックアップテーブルをさらに備える、
［Ｃ１８］に記載のコンピュータ読取可能媒体。
［Ｃ２１］
プログラム命令を含むコンピュータ読取可能媒体であって、前記プログラム命令が近距離通信（ＮＦＣ）システムにおけるターゲットデバイスのプロセッサによって実行されるとき、前記ターゲットデバイスに、
イニシエータデバイスからポーリングコマンドを受信することと、
前記ポーリングコマンドを復号することに応じて前記ターゲットデバイスにおけるＮＦＣクロック生成器を選択的に使用可能にすることと
を行わせる、コンピュータ読取可能媒体。
［Ｃ２２］
前記ターゲットデバイスは、前記ポーリングコマンドが能動通信モードを要求した場合にのみ前記ＮＦＣクロック生成器を使用可能にするためのものである、
［Ｃ２１］に記載のコンピュータ読取可能媒体。
［Ｃ２３］
前記ターゲットデバイスは、前記ポーリングコマンドの最終ビットを受信した後にのみ前記ＮＦＣクロック生成器を使用可能にするためのものである、
［Ｃ２１］に記載のコンピュータ読取可能媒体。
［Ｃ２４］
前記ＮＦＣクロック生成器は、前記ターゲットデバイスから搬送波信号を送信することに関連したクロック信号を生成するためのものである、［Ｃ２１］に記載のコンピュータ読取可能媒体。
［Ｃ２５］
近距離通信（ＮＦＣ）デバイスであって、
第１の搬送波信号をもう一方のＮＦＣデバイスに送信するための送信機と、ここで、前記第１の搬送波信号はポーリングコマンドを含む、
前記ポーリングコマンドが受動通信モードを要求した場合、前記ポーリングコマンドを前記もう一方のＮＦＣデバイスに送信した後に前記第１の搬送波信号の送信を終了することと、
前記ポーリングコマンドが能動通信モードを要求した場合、前記ポーリングコマンドを前記もう一方のＮＦＣデバイスに送信した後に延長時間期間の間、前記第１の搬送波信号の送信を継続することと
を行うためのプロセッサと
を備える、ＮＦＣデバイス。
［Ｃ２６］
前記延長時間期間は、前記もう一方のＮＦＣデバイスがクロック信号を安定化させる時間に対応する、［Ｃ２５］に記載のＮＦＣデバイス。
［Ｃ２７］
前記延長時間期間を示す１つまたは複数の値を記憶するルックアップテーブルをさらに備える、
［Ｃ２６］に記載のＮＦＣデバイス。
［Ｃ２８］
前記もう一方のＮＦＣデバイスは、前記ポーリングコマンドを復号することに応じて、ＮＦＣクロック生成器を選択的に使用可能にするためのものである、
［Ｃ２５］に記載のＮＦＣデバイス。
［Ｃ２９］
前記もう一方のＮＦＣデバイスは、前記ポーリングコマンドが前記能動通信モードを要求した場合にのみ前記ＮＦＣクロック生成器を使用可能にするためのものである、
［Ｃ２８］に記載のＮＦＣデバイス。
［Ｃ３０］
前記ＮＦＣクロック生成器は、前記もう一方のＮＦＣデバイスから第２の搬送波信号を送信することに関連したクロック信号を生成するためのものである、
［Ｃ２８］に記載のＮＦＣデバイス。
【図１】
0005792397.tif 000002
【図２】
0005792397.tif 000003
【図３】
0005792397.tif 000004
【図４Ａ】
0005792397.tif 000005
【図４Ｂ】
0005792397.tif 000006